(57)【要約】【課題】事前の煩雑な設定操作等を行なう必要がなく、且つ部外者に対する秘匿性を確保しながら、画像の投影に合わせて各種コンテンツ情報を配信する。【解決手段】付加情報を含む画像信号を入力する入出力コネクタ部51、入出力Ｉ／Ｆ52と、光源部57と、入力した画像信号に基づいた画像を表示する投影画像処理部55及びマイクロミラー素子56と、光源部57からの光をマイクロミラー素子56に照射し、その反射光により光像を形成して出力する投影レンズユニット59と、入力した画像信号に基づいた画像の一部に付加情報に基づいた変調信号を埋め込んでマイクロミラー素子56により表示させるＣＰＵ71、画像変換部53及び投影画像処理部55とを備える。【選択図】図４
2011252971.tif 000002
【特許請求の範囲】
【請求項１】
画像信号を入力する画像入力手段と、
上記画像入力手段で入力した画像信号に付加する付加情報を入力する付加情報入力手段と、
光源と、
上記画像入力手段で入力した画像信号に基づいた画像を表示する表示素子と、
上記光源からの光を上記表示素子に照射し、その反射光または透過光により光像を形成して出力する投影手段と、
上記画像入力手段で入力した画像信号に基づいた画像の一部に上記付加情報入力手段で入力した付加情報に基づいた変調信号を埋め込んで上記表示素子により表示させる表示制御手段と
を具備したことを特徴とする投影装置。
【請求項２】
画像信号を入力する画像入力手段と、
上記画像入力手段で入力した画像信号に付加する付加情報を入力する付加情報入力手段と、
光源と、
上記画像入力手段で入力した画像信号に基づいた画像を表示する表示素子と、
上記光源からの光を上記表示素子に照射し、その反射光または透過光により光像を形成して出力する投影手段と、
上記画像入力手段で入力した画像信号に基づいた画像の表示フレームとは別の表示フレームで、上記付加情報入力手段で入力した付加情報に基づいた変調信号に基づいて上記光源の発光を制御し、当該表示フレーム中は上記表示素子の少なくとも一部をフル階調値に制御する発光制御手段と
を具備したことを特徴とする投影装置。
【請求項３】
画像信号を入力する画像入力手段、上記画像入力手段で入力した画像信号に付加する付加情報を入力する付加情報入力手段、光源、上記画像入力手段で入力した画像信号に基づいた画像を表示する表示素子、上記光源からの光を上記表示素子に照射し、その反射光または透過光により光像を形成して出力する投影手段、及び上記画像入力手段で入力した画像信号に基づいた画像の一部に上記付加情報入力手段で入力した付加情報に基づいた変調信号を埋め込んで上記表示素子により表示させる表示制御手段を備えた投影装置と、
上記投影手段で投影される画像を撮影する撮影手段、上記撮影手段で撮影した画像中に重畳されている光の明暗パターンからなる信号を抽出して復調する復調手段、及び上記復調手段での復調信号に基づいた情報を出力する出力手段を備えた電子機器と
有したことを特徴とする投影システム。
【請求項４】
画像信号を入力する画像入力手段、光源、上記画像入力手段で入力した画像信号に基づいた画像を表示する表示素子、及び上記光源からの光を上記表示素子に照射し、その反射光または透過光により光像を形成して出力する投影手段を備えた投影装置が内蔵するコンピュータが実行するプログラムであって、
上記コンピュータを、
上記画像入力手段で入力した画像信号に付加する付加情報を入力する付加情報入力手段、及び
上記画像入力手段で入力した画像信号に基づいた画像の一部に上記付加情報入力手段で入力した付加情報に基づいた変調信号を埋め込んで上記表示素子により表示させる表示制御手段
として機能させるためのプログラム。
【発明の詳細な説明】
【技術分野】
【０００１】
本発明は、例えばプロジェクタと複数台のパーソナルコンピュータとを用いるプレゼンテーション等に好適な投影装置、投影システム及びプログラムに関する。
【背景技術】
【０００２】
投影動作を行なわないスタンバイ状態において、有線接続されたパーソナルコンピュータ（以下「ＰＣ」と称する）との情報通信を行なうべく電源系統の制御を行なうようにしたプロジェクタが考えられている。（例えば、特許文献１）
【先行技術文献】
【特許文献】
【０００３】
【特許文献１】特開２００６−３０８９３４号公報
【発明の概要】
【発明が解決しようとする課題】
【０００４】
上記特許文献に記載された技術を含め、ＰＣとの間で有線接続等によりデータの送受を行なって、プロジェクタの調整を行ない、あるいはプロジェクタの情報を取得するようにしたものがある。
【０００５】
しかしながら、例えば上記特許文献ではＲＳ−２３２Ｃケーブルによるシリアルインタフェースを用いているように、有線接続であるが故にプロジェクタに同時に接続可能なＰＣの台数が限定される。
【０００６】
また、近年のＰＣではＩＥＥＥ  ８０２．１１ａ／ｂ／ｇ／ｎの無線ＬＡＮ機能やＢｌｕｅｔｏｏｔｈ（登録商標）などの無線通信機能を搭載した機種が増えており、無線接続によりプロジェクタから各ＰＣに対して、画像の投影と平行してデータを配信することもかのとなる。
【０００７】
しかしながら、上記無線通信機能により一時的なネットワークを構成する場合、その都度事前の設定処理が必要であり、その作業が煩雑となることも多い。この場合、当該設定処理を簡略化する方法も考えられるが、その際には、直接ネットワークに参加しない部外者も当該無線範囲内にいれば無線で送受する情報を取得できる可能性が高くなり、セキュリティ上の問題が発生する。
【０００８】
本発明は上記のような実情に鑑みてなされたもので、その目的とするところは、事前の煩雑な設定操作等を行なう必要がなく、且つ部外者に対する秘匿性を確保しながら、画像の投影に合わせて各種コンテンツ情報を配信することが可能な投影装置、投影システム及びプログラムを提供することにある。
【課題を解決するための手段】
【０００９】
請求項１記載の発明は、画像信号を入力する画像入力手段と、上記画像入力手段で入力した画像信号に付加する付加情報を入力する付加情報入力手段と、光源と、上記画像入力手段で入力した画像信号に基づいた画像を表示する表示素子と、上記光源からの光を上記表示素子に照射し、その反射光または透過光により光像を形成して出力する投影手段と、上記画像入力手段で入力した画像信号に基づいた画像の一部に上記付加情報入力手段で入力した付加情報に基づいた変調信号を埋め込んで上記表示素子により表示させる表示制御手段とを具備したことを特徴とする。
【００１０】
請求項２記載の発明は、画像信号を入力する画像入力手段と、上記画像入力手段で入力した画像信号に付加する付加情報を入力する付加情報入力手段と、光源と、上記画像入力手段で入力した画像信号に基づいた画像を表示する表示素子と、上記光源からの光を上記表示素子に照射し、その反射光または透過光により光像を形成して出力する投影手段と、  上記画像入力手段で入力した画像信号に基づいた画像の表示フレームとは別の表示フレームで、上記付加情報入力手段で入力した付加情報に基づいた変調信号に基づいて上記光源の発光を制御し、当該表示フレーム中は上記表示素子の少なくとも一部をフル階調値に制御する発光制御手段とを具備したことを特徴とする。
【００１１】
請求項３記載の発明は、画像信号を入力する画像入力手段、上記画像入力手段で入力した画像信号に付加する付加情報を入力する付加情報入力手段、光源、上記画像入力手段で入力した画像信号に基づいた画像を表示する表示素子、上記光源からの光を上記表示素子に照射し、その反射光または透過光により光像を形成して出力する投影手段、及び上記画像入力手段で入力した画像信号に基づいた画像の一部に上記付加情報入力手段で入力した付加情報に基づいた変調信号を埋め込んで上記表示素子により表示させる表示制御手段を備えた投影装置と、上記投影手段で投影される画像を撮影する撮影手段、上記撮影手段で撮影した画像中に重畳されている光の明暗パターンからなる信号を抽出して復調する復調手段、及び上記復調手段での復調信号に基づいた情報を出力する出力手段を備えた電子機器と有したことを特徴とする。
【００１２】
請求項４記載の発明は、画像信号を入力する画像入力手段、光源、上記画像入力手段で入力した画像信号に基づいた画像を表示する表示素子、及び上記光源からの光を上記表示素子に照射し、その反射光または透過光により光像を形成して出力する投影手段を備えた投影装置が内蔵するコンピュータが実行するプログラムであって、上記コンピュータを、上記画像入力手段で入力した画像信号に付加する付加情報を入力する付加情報入力手段、及び上記画像入力手段で入力した画像信号に基づいた画像の一部に上記付加情報入力手段で入力した付加情報に基づいた変調信号を埋め込んで上記表示素子により表示させる表示制御手段として機能させる。
【発明の効果】
【００１３】
本発明によれば、事前の煩雑な設定操作等を行なう必要がなく、且つ部外者に対する秘匿性を確保しながら、画像の投影に合わせて各種コンテンツ情報を配信することが可能となる。
【図面の簡単な説明】
【００１４】
【図１】本発明の一実施形態に係る投影システムの最小構成を示す図。
【図２】同実施形態に係るパーソナルコンピュータのハードウェア回路の構成を示すブロック図。
【図３】同実施形態に係るＶＬＣ（可視光通信）受信機の回路構成を示すブロック図。
【図４】同実施形態に係るデータプロジェクタの機能回路構成を示すブロック図。
【図５】同実施形態に係るデータプロジェクタとパーソナルコンピュータで実行される可視光通信の各処理内容を示すフローチャート。
【発明を実施するための形態】
【００１５】
以下、本発明をデータプロジェクタとパーソナルコンピュータを含む画像投影システムに適用した場合の一実施形態について図面を参照して説明する。
【００１６】
図１は、システム全体の外観と接続構成を示すものである。データプロジェクタ１でスクリーンＳＣに向けて画像を投影する。このスクリーンＳＣ上に投影される画像を、パーソナルコンピュータ２とＵＳＢケーブルＵＣで接続されたＶＬＣ（Ｖｉｓｉｂｌｅ  Ｌｉｇｈｔ  Ｃｏｍｍｕｎｉｃａｔｉｏｎ：可視光通信）受信機３で撮影する。ＶＬＣ受信機３は、上記投影画像中に含まれている、可視光通信によるデータコンテンツを復調、抽出してパーソナルコンピュータ２に出力する。
【００１７】
パーソナルコンピュータ２は、ＶＬＣ受信機３からデータコンテンツを再生して、該コンテンツが文字、画像等であれば表示し、あるいは音声、楽曲であれば再生するなど、データコンテンツの種別に応じた出力動作を実行する。
【００１８】
次に図２によりパーソナルコンピュータ２の構成について説明する。図２はこのパーソナルコンピュータ２のハードウェア構成を示す。各種処理制御を司るＣＰＵ１１が、フロントサイドバスＦＳＢを介してノースブリッジ１２と接続される。
【００１９】
このノースブリッジ１２は、さらにメモリバスＭＢを介してメインメモリ１３と、またグラフィクスインタフェースＡＧＰを介してグラフィックコントローラ１４及びグラフィックメモリ１５と接続される他、サウスブリッジ１６とも接続される。ノースブリッジ１２は、主としてこれらの間での入出力制御を実行する。
【００２０】
サウスブリッジ１６は、ＰＣＩエクスプレス（ＰＣＩｅ）１７、キーボード／マウス１８、ビデオエンコーダ１９、ＵＳＢドライバ２０、マルチディスクドライブ２１、ハードディスク装置（ＨＤＤ）２２、及びサウンドチップ２３と接続され、主としてこれら周辺回路とノースブリッジ１２との間の入出力制御を行なう。
【００２１】
ビデオエンコーダ１９は、与えられたデジタル値の画像信号からアナログ値の画像信号であるＶＧＡビデオ信号を生成して出力し、ここでは図示しないカラーＴＦＴ（薄膜トランジスタ）液晶表示パネルで構成されるディスプレイ部に表示させる。
【００２２】
なお、これらパーソナルコンピュータ２を構成する個々の要素自体は、きわめて一般的な周知の技術であるので、それらの説明を省略する。
【００２３】
次いで図３により上記ＶＬＣ受信機３の回路構成を説明する。  
ＶＬＣ受信機３では、光学レンズ部３１で被写体の光像をイメージセンサ３２上に結像させる。イメージセンサ３２は、例えばＱＶＧＡ（１／４ＶＧＡ＝縦２４０画素×横３２０画素）サイズの撮影解像度を有するＣＭＯＳイメージセンサで構成される。
【００２４】
このイメージセンサ３２で取得された画像信号は、タイミングジェネレータ（ＴＧ）３４からのタイミングパルスに同期して動作する増幅器及びＡ／Ｄ変換器（Ａｍｐ．，Ａ／Ｄ）３３を介して増幅及びデジタル化された後に、マッチドフィルタ３５に入力される。
【００２５】
マッチドフィルタ３５は、順次入力される画像信号に対して相関処理を実行することにより、時間的に“１”“０”の輝度変化を生じている画素位置で、自己相関ピークと呼称されるプラスまたはマイナスの強いピーク信号を生成し、フィルタバッファ３６に出力する。上記自己相関ピークは、輝度変化の“１”“０”に対応している。
【００２６】
フィルタバッファ３６は、マッチドフィルタ１５の出力する自己相関ピークを画像中の位置情報と対応付けて順次保持し、通信データ記憶部３７に読出す。
【００２７】
通信データ記憶部３７は、フィルタバッファ３６が保持する内容を記憶する一方で、その記憶内容からデータ解析によって復調された可視光通信の受信データを記憶する。
【００２８】
通信データ解析部３８は、通信データ記憶部３７に記憶される内容に対して予め定められた変復調方式、例えば２８．８［ｋＨｚ］の副搬送波（サブキャリア）を採用した４値ＰＰＭ（Ｐｕｌｓｅ−ｐｏｓｉｔｉｏｎ  ｍｏｄｕｌａｔｉｏｎ）に従って復調処理を行なうことで重畳されていた通信データを解析し、解析結果である受信データを画像中の位置情報と対応付けて上記フィルタバッファ３６に記憶させる。
【００２９】
上記の各回路を制御部３９が統括して制御する。制御部３９は、このＶＬＣ受信機３全体の動作制御を司るものであり、ＣＰＵと、ワークメモリとして機能するメインメモリ、及び上記ＣＰＵの動作プログラムや各種固定データを記憶したプログラムメモリを有する。
【００３０】
この制御部３９に対して、さらにＵＳＢドライバ４０が接続される。  
ＵＳＢドライバ４０は、上記制御部３９の制御の下に、通信データ記憶部３７に記憶される、画像中の位置情報と対応付けて記憶された受信データをＵＳＢケーブルＵＣを介して外部の機器、例えば上記パーソナルコンピュータ２へ出力する。
【００３１】
次に図４により上記データプロジェクタ１の構成について説明する。  
図４は、ＤＬＰ（Ｄｉｇｉｔａｌ  Ｌｉｇｈｔ  Ｐｒｏｃｅｓｓｉｎｇ）（登録商標）方式のデータプロジェクタ１の概略機能構成を示すブロック図である。  
５１は入出力コネクタ部であり、例えばピンジャック（ＲＣＡ）タイプのビデオ入力端子、Ｄ−ｓｕｂ１５タイプのＲＧＢ入力端子、及びＵＳＢ（Ｕｎｉｖｅｒｓａｌ  Ｓｅｒｉａｌ  Ｂｕｓ）コネクタを含む。
【００３２】
入出力コネクタ部５１より入力される各種規格の画像信号は、入出力インタフェース（Ｉ／Ｆ）５２、システムバスＳＢを介し、一般にスケーラとも称される画像変換部５３に入力される。
【００３３】
画像変換部５３は、入力された画像信号を投影に適した所定のフォーマットの画像信号に統一し、表示用のバッファメモリであるビデオＲＡＭ５４に適宜書込んだ後に、書込んだ画像信号を読出して投影画像処理部５５へ送る。
【００３４】
投影画像処理部５５は、送られてきた画像信号に応じて、所定のフォーマットに従ったフレームレート、例えば６０［フレーム／秒］と色成分の分割数、及び表示階調数を乗算した、より高速な時分割駆動により、空間的光変調素子であるマイクロミラー素子５６を表示駆動する。
【００３５】
このマイクロミラー素子１６は、アレイ状に配列された複数、例えばＸＧＡ（横１０２４画素×縦７６８画素）分の微小ミラーの各傾斜角度を個々に高速でオン／オフ動作して表示動作することで、その反射光により光像を形成する。
【００３６】
一方で、光源部５７から時分割でＲ，Ｇ，Ｂの原色光が循環的に出射される。この光源部５７からの原色光が、ミラー５８で全反射して上記マイクロミラー素子５６に照射される。
【００３７】
そして、マイクロミラー素子５６での反射光で光像が形成され、形成された光像が投影レンズユニット５９を介して、投影対象となる上記スクリーンＳＣに投影表示される。
【００３８】
光源部５７は、赤色（Ｒ）光を発する発光ダイオード（以下「Ｒ−ＬＥＤ」と称する）２１、緑色（Ｇ）光を発する発光ダイオード（以下「Ｇ−ＬＥＤ」と称する）２２、及び青色（Ｂ）光を発する発光ダイオード（以下「Ｂ−ＬＥＤ」と称する）２３を有する。
【００３９】
Ｒ−ＬＥＤ６１の発する赤色光は、ダイクロイックミラー６４を透過した後、インテグレータ６５で輝度分布が略均一な光束とされた後に上記ミラー５８へ送られる。
【００４０】
Ｇ−ＬＥＤ６２の発する緑色光は、ダイクロイックミラー６６で反射された後、上記ダイクロイックミラー６４でも反射され、上記インテグレータ６５を介して上記ミラー５８へ送られる。
【００４１】
Ｂ−ＬＥＤ６３の発する青色光は、ミラー６７で反射された後に上記ダイクロイックミラー６６を透過し、その後に上記ダイクロイックミラー６４で反射され、上記インテグレータ６５を介して上記ミラー５８へ送られる。  
上記ダイクロイックミラー６４は、赤色光を透過する一方で、緑色光及び青色光を反射する。上記ダイクロイックミラー６６は、緑色光を反射する一方で、青色光を透過する。
【００４２】
光源部５７の各ＬＥＤ６１〜６３の発光タイミングや駆動信号の波形等を投影光処理部６８が統括して制御する。投影光処理部６８は、投影画像処理部５５から与えられるＲ，Ｇ，Ｂの各タイミング信号と後述するＣＰＵ７１の制御に応じてＬＥＤ６１〜６３の発光動作を制御する。
【００４３】
上記各回路の動作すべてをＣＰＵ７１が制御する。このＣＰＵ７１は、メインメモリ７２及びプログラムメモリ７３と直接接続される。メインメモリ７２は、ＤＲＡＭで構成され、ＣＰＵ７１のワークメモリとして機能する。プログラムメモリ７３は、電気的書換可能な不揮発性メモリで構成され、ＣＰＵ７１が実行する動作プログラムや各種定型データ等を記憶する。ＣＰＵ７１は、上記メインメモリ７２及びプログラムメモリ７３を用いて、このデータプロジェクタ１内の制御動作を実行する。
【００４４】
上記ＣＰＵ７１は、操作部７４からのキー操作信号に応じて各種投影動作を実行する。  
この操作部７４は、データプロジェクタ１の本体に設けられるキー操作部と、このデータプロジェクタ１専用の図示しないリモートコントローラからの赤外光を受光するレーザ受光部とを含む。操作部７４は、ユーザが本体のキー操作部またはリモートコントローラで操作したキーに基づくキー操作信号をＣＰＵ７１へ直接出力する。
【００４５】
上記ＣＰＵ７１はさらに、上記システムバスＳＢを介して音声処理部７５とも接続される。音声処理部７５は、ＰＣＭ音源等の音源回路を備える。音声処理部７５は、投影動作時に与えられる音声データをアナログ化し、スピーカ部７６を駆動して拡声させ、あるいは必要によりビープ音等を発生させる。
【００４６】
次に上記実施形態の動作について説明する。  
図５は、データプロジェクタ１で可視光通信を伴う画像投影を実行し、一方でパーソナルコンピュータ２がＶＬＣ受信機３により投影画像中に含まれている可視光通信のデータコンテンツを受信し、受信したデータコンテンツに対応した再生動作を行なう場合のデータプロジェクタ１とパーソナルコンピュータ２双方の処理内容示すフローチャートである。
【００４７】
ここでは、データプロジェクタ１の入出力コネクタ部５１にＵＳＢメモリが装着され、当該ＵＳＢメモリ内に、可視光通信用のデータコンテンツを付加したプレゼンテーション用の画像データファイルが記憶されており、操作部７４でのキー操作により当該画像データファイルを選択して投影を実行するものとする。
【００４８】
データプロジェクタ１では、選択した画像データの入力を待機し（ステップＳ１０１）、入力されたと判断した時点で次にその画像データに可視光通信用の付加データがあるか否かを判断する（ステップＳ１０２）。
【００４９】
ここで可視光通信用の付加データがないと判断した場合には、可視光通信を行なわない通常の投影動作を実行するが、本実施形態ではその動作についての説明を省略する。
【００５０】
また、上記ステップＳ１０２で投影すべき画像データに可視光通信用の付加データがあると判断した場合には、付加されているデータを可視光通信のフォーマットに従ってコード化する（ステップＳ１０３）。
【００５１】
次いで、コード化した付加データを埋め込んだ画像データを画像変換部５３で作成し、再生した画像データに基づいて投影画像処理部５５でマイクロミラー素子５６を駆動させて、画像を投影する（ステップＳ１０４）。
【００５２】
具体的には、画像中の端部、例えば左上端に位置する１ブロック、縦８画素×横８画素の計６４画素において、それぞれ各画素の表示階調値に応じて、本来マイクロミラーがオン動作する期間中に、コード化した付加データに基づく高速のオン／オフ動作を行なうものとする。
【００５３】
このように画像中の端部で可視光通信を行なうようにすることで、後述するＶＬＣ受信機３が受信するデータの中から可視光通信を行なう画像中の領域を見つけやすくすることができる。これは、すなわち一般的にプロジェクタは暗い環境下において投影を行なうため、輝度差を検出することにより簡易に画像端部を検出することができるためである。
【００５４】
例えば、ある画像データの１フレームのＲフィールド期間において、ある１画素に対応するマイクロミラーが１／２階調（階調ビット数が１０ビットで５１２／１０２４階調）の表示を行なう場合、可視光通信を行なわない場合であれば、当該フィールドの前半がオン、後半がオフとなるようにマイクロミラーを駆動する。
【００５５】
しかし、可視光通信を行なう場合には、割り当てられたデータとそのデータ量に応じて当該フィールド中にオン／オフ制御を行ない、当該フィールド中の残る期間内でオン時間とオフ期間とが等しくなるような調整のためのオン／オフ制御を行なうことで、画質の劣化を伴わずに画像中に可視光通信のためのデータを埋め込んだ表示動作を行なうことができる。
【００５６】
仮に可視光通信のデータ量が大きい場合は、当該フィールド中における可視光通信を行う割合が大きくなるため相対的に可視光通信を行わない残り期間が短くなり、当該残り期間では上記のような画質の劣化を防止するためのオン／オフ制御調整を行うことができないことも想定される。
【００５７】
この場合は、複数のフィールドにわたって可視光通信データを分割して送信することで、それぞれのフィールドにおける可視光通信を行なわない残り期間においてオン時間とオフ期間とを調整することで、画質の劣化を回避できる。
【００５８】
上記のようにマイクロミラー素子５６での表示動作を制御することで、マイクロミラー素子５６での反射光により形成された光像が投影レンズユニット５９によりスクリーンＳＣに向けて投影される。
【００５９】
次の画像データが入力されるのを繰返し判断することで（ステップＳ１０５）、次の画像データが入力されるまで、上記付加データを埋め込んだ画像データの投影を続行する。
【００６０】
そして、次の画像データ入力があると判断した時点で上記ステップＳ１０５でそれを判断し、実際に次の画像データに移行するまでの１フレーム乃至数フレームにわたって、それまでの付加データに代えて、画像データの投影を終了する旨を示す終了コードを埋め込んだ画像データを投影する（ステップＳ１０６）。
【００６１】
その後、新たな画像データの投影を行なうべく上記ステップＳ１０２からの処理を再度実行する。
【００６２】
一方のパーソナルコンピュータ２の側では、スクリーンＳＣに対してＶＬＣ受信機３を設置すると共に、可視光通信の受信モードを設定して起動し、投影に備える（ステップＳ２０１）。
【００６３】
その後、ＶＬＣ受信機３から可視光通信で復調した受信データが出力されてくるか否かにより、画像データに付加データがあるか否かを待機する（ステップＳ２０２）。
【００６４】
付加データがあった場合、ステップＳ２０２でそれを判断すると、次いでその付加デーの拡張子の抽出を含む解析処理を実行し、解析結果に基づいて付加データを変換する（ステップＳ２０３）。
【００６５】
次いで、変換した付加データに対応した再生出力を実行する（ステップＳ２０４）。例えば、付加データがテキストデータ、画像イメージデータ、あるいはグラフィックデータ等の画像化が可能なデータであれば、それらを再生してＶＧＡビデオ信号を生成し、ディスプレイ部に表示させる。
【００６６】
また、付加データが音声データであった場合には、それらをサウンドチップ２３で再生して音声出力させる。
【００６７】
この受信手段付加データに基づく再生動作を継続しながら、合わせて画像データの投影を終了する旨を示す終了コードを受信したか否か、繰返し判断することで、該終了神殿辞書待機する（ステップＳ２０５）。
【００６８】
そして、終了コードを受信したと上記ステップＳ２０５で判断した時点で、それまでの付加データの再生出力を終了し（ステップＳ２０６）、新たな画像データに付加されているデータの受信に備えるべく、上記ステップＳ２０２からの処理に戻る。
【００６９】
このように本実施形態によれば、無線ネットワークの設定などの事前の煩雑な設定操作等を行なう必要がなく、且つスクリーンで反射される付加データを受信しなければならないため、部外者に対する高い秘匿性を確保しながら、画像の投影に合わせて各種コンテンツ情報を配信することが可能となる。
【００７０】
なお上記実施形態では、可視光通信の受信側となるパーソナルコンピュータ２で専用のＶＬＣ受信機３をＵＳＢケーブルＵＣにより接続して動作するものとして説明したが、パーソナルコンピュータ２自体が撮影方向を可変できるモバイルカメラ機能を有するものであれば、パーソナルコンピュータ２単体で対応することが可能となる。
【００７１】
また、可視光通信の受信側はパーソナルコンピュータ２ではなく、例えば一般的に普及している、カメラ機能を有する携帯電話端末やＰＤＡ（Ｐｅｒｓｏｎａｌ  Ｄｉｇｉｔａｌ  Ａｓｓｉｓｔａｎｔｓ：個人向け情報携帯端末）等でも同様に実現可能である。
【００７２】
なお実施形態とは別に、可視光通信に必要な高速応答性を有していない表示素子、例えば透過型のカラー液晶表示パネルを用いるプロジェクタでも、光源側の素子自体がＬＥＤのように可視光通信で必要とされる高速応答性を有している場合には、入力した画像信号に対応した画像投影を行なうフレーム間に、可視光通信のためだけのフレームを挿入し、当該可視光通信用フレームでは光源の素子の点滅駆動により可視光通信を実行すると共に、表示素子は光源の輝度変化を直接そのまま表示するべく全画素ともフル階調値を表示することにより、入力される画像信号に応じた画像投影と可視光通信とが可能となる。
【００７３】
なお上記実施形態では、光源の素子としてはＲ，Ｇ，Ｂの各原色光を発するＬＥＤを用いる場合について説明したが、本発明は光源素子をＬＥＤに限るものではなく、他にも例えばＬＤ（Ｌａｓｅｒ  Ｄｉｏｄｅ：半導体レーザ）やＳＬＤ（Ｓｕｐｅｒ  Ｌｕｍｉｎｅｓｃｅｎｔ  Ｄｉｏｄｅ）、あるいは有機ＥＬ素子でも良い。
【００７４】
その他、本発明は上述した実施形態に限定されるものではなく、実施段階ではその要旨を逸脱しない範囲で種々に変形することが可能である。また、上述した実施形態で実行される機能は可能な限り適宜組み合わせて実施しても良い。上述した実施形態には種々の段階が含まれており、開示される複数の構成要件による適宜の組み合せにより種々の発明が抽出され得る。例えば、実施形態に示される全構成要件からいくつかの構成要件が削除されても、効果が得られるのであれば、この構成要件が削除された構成が発明として抽出され得る。
【符号の説明】
【００７５】
１…データプロジェクタ、２…パーソナルコンピュータ、３…ＶＬＣ（可視光通信）受信機、１１…ＣＰＵ、１２…ノースブリッジ、１３…メインメモリ、１４…グラフィックコントローラ、１５…グラフィックメモリ、１６…サウスブリッジ、１７…ＰＣＩエクスプレス（ＰＣＩｅ）、１８…キーボード／マウス、１９…ビデオエンコーダ、２０…ＵＳＢドライバ、２１…マルチディスクドライブ、２２…ハードディスク装置（ＨＤＤ）、２３…サウンドチップ、３１…光学レンズ部、３２…イメージセンサ、３３…増幅器及びＡ／Ｄ変換器、３４…タイミングジェネレータ（ＴＧ）、３５…マッチドフィルタ、３６…フィルタバッファ、３７…通信データ記憶部、３８…通信データ解析部、３９…制御部、４０…ＵＳＢドライバ、５１…入出力コネクタ部、５２…入出力インタフェース（Ｉ／Ｆ）、５３…画像変換部、５４…ビデオＲＡＭ、５５…投影画像処理部、５６…マイクロミラー素子、５７…光源部、５８…ミラー、５９…投影レンズユニット、６１…Ｒ（赤色）−ＬＥＤ、６２…Ｇ（緑色）−ＬＥＤ、６３…Ｂ（青色）−ＬＥＤ、６４…ダイクロイックミラー、６５…インテグレータ、６６…ダイクロイックミラー、６７…ミラー、６８…投影光処理部、７１…ＣＰＵ、７２…メインメモリ、７３…プログラムメモリ、７４…操作部、７５…音声処理部、７６…スピーカ部、ＡＧＰ…グラフィクスインタフェース、ＦＳＢ…フロントサイドバス、ＭＢ…メモリバス、ＳＢ…システムバス、ＳＣ…スクリーン、ＵＣ…ＵＳＢケーブル。
【図１】
2011252971.tif 000003
【図２】
2011252971.tif 000004
【図３】
2011252971.tif 000005
【図４】
2011252971.tif 000006
【図５】
2011252971.tif 000007